(57)【要約】本発明の課題は、適正な音量で閉状態通話が実現できるとともに、釦の数をできるだけ減らし、誤操作及び筐体の大型化を回避することができる折畳式携帯電話機を提供することである。本発明に係る折畳式携帯電話機は、送話用マイク（１２）と、受話用レシーバ（２２）と、着信メロディやブザー音等のための大音量用スピーカ（２３）との他に、音量可変手段（４Ｂ）と、開状態通話をする場合には送話用マイク（１２）と受話用レシーバ（２２）で通話する第１の機能を設定するとともに、閉状態通話をする場合には送話用マイク（１２）と大音量用スピーカ（２３）の発生音量を受話用レシーバ（２２）の発生音量と同程度に音量を低く調整して受話に供する第２の機能を設定するように設定機能の切替を行う切替手段（４Ａ）とを具備する。
2003105450.tif 000002
【特許請求の範囲】
【請求項１】
送話用マイクを有する第１の筐体と、受話用レシーバを有する第２の筐体とを互いに開閉自在に連結した折畳式携帯電話機であって、
前記第２の筐体の、前記第１、第２の筐体を閉じたときに露出している部分にスピーカが設けられ、
前記スピーカの発生音量を前記受話用レシーバの発生音量と同程度になるように調整する音量可変手段と、
前記第１、第２の筐体を開いて通話する場合は、前記送話用マイクと前記受話用レシーバで通話する第１の機能に設定し、閉じて通話する場合は、前記音量可変手段によって前記スピーカの発生音量を前記受話用レシーバの発生音量と同程度になるように調整して、前記送話用マイクと前記スピーカで通話する第２の機能に設定するように設定機能の切替を行う切替手段とを備えた折畳式携帯電話機。
【請求項２】
送話用マイクを有する第１の筐体と、受話用レシーバを有する第２の筐体とを互いに開閉自在に連結した折畳式携帯電話機であって、
前記第２の筐体の、前記第１、第２の筐体を閉じたときに露出している部分にスピーカが設けられ、
前記スピーカの発生音量を前記受話用レシーバの発生音量と同程度になるように調整する音量可変手段と、
前記第１、第２の筐体を閉じたとき露出せず、開いた状態で露出する部分に設けられた第１の通話開始用操作手段の機能を有する第１の釦と、
前記第１、第２の筐体を閉じたとき露出している部分に設けられた第２の通話開始用操作手段の機能を有する第２の釦と、
前記第１の釦を操作して通話を開始する場合は、前記送話用マイクと前記受話用レシーバで通話する第１の機能に設定し、前記第２の釦を操作して通話を開始する場合は、前記音量可変手段によって前記スピーカの発生音量を前記受話用レシーバの発生音量と同程度になるように調整して、前記送話用マイクと前記スピーカで通話する第２の機能に設定するように設定機能の切替を行う切替手段とを備えた折畳式携帯電話機。
【請求項３】
前記送話用マイクが、前記第１の筐体の連結部より遠い部分で、かつ、前記第１、第２の筐体を閉じたとき露出している部分に設けられ、
前記受話用レシーバが、前記第２の筐体の連結部より遠い部分で、かつ、前記第１、第２の筐体を閉じたとき前記第１の筐体で覆われる部分に設けられていることを特徴とする請求の範囲第１項または第２項記載の折畳式携帯電話機。
【請求項４】
前記切替手段は、前記第２の機能に設定された状態で、前記第１、第２の筐体が互いに開放されたとき、前記第１の機能に切替えるように構成したことを特徴とする請求の範囲第１項または第２項記載の折畳式携帯電話機。
【請求項５】
前記切替手段は、前記第１の機能に設定された状態で、前記第１、第２の筐体が互いに閉じられたとき、前記第２の機能に切替えるように構成されていることを特徴とする請求の範囲第１項または第２項記載の折畳式携帯電話機。
【請求項６】
前記第２の釦は、通話中に操作した場合に当該通話を終了する第１の通話終了用操作手段の機能を有する請求の範囲第２項乃至第５項のいずれか１項記載の折畳式携帯電話機。
【請求項７】
前記第２の釦は、通話中に予め定めた一定時間操作し続けた場合に当該通話を終了する第２の通話終了用操作手段の機能を有する請求の範囲第２項乃至第５項のいずれか１項記載の折畳式携帯電話機。
【請求項８】
前記第２の釦は、前記第１、第２の筐体の少なくとも一方の外表面に形成された凹部内に配置されていることを特徴とする請求の範囲第２項乃至第７項のいずれか１項記載の折畳式携帯電話機。
【請求項９】
第１、第２の筐体を互いに開閉自在に連結した折畳式携帯電話機であって、
前記第１、第２の筐体を閉じたとき露出している部分にスピーカが設けられ、
前記スピーカを通話時に受話用レシーバとして使用するように切替える切替手段と、
前記スピーカを受話用レシーバとして使用する状態で、前記スピーカの発生音量を呼出時の発生音量より低く調整する調整手段とを備えた折畳式携帯電話機。
【発明の詳細な説明】
＜技術分野＞
本発明は、筐体を閉じた状態で通話することができる閉状態通話が可能な機能を有する折畳式携帯電話機に関するものである。
＜背景技術＞
近年、携帯電話機の多機能化技術が急速に進歩し、大画面で、かつ、操作面も広く大きく形成できる折畳式携帯電話が普及している。また、操作部が常に露出している棒状携帯電話機では、普段使用してないときでも、誤って操作部の釦操作を行う虞があるが、折畳式携帯電話機では、普段使用しないときには筐体を閉じて折畳んでおくので、この折畳時には操作部が露出せず、誤操作しにくい構造となっている。
しかしながら、この折畳式携帯電話機では、筐体を閉じた状態から通話を開始するには筐体を一旦開く操作が必要であり、その手間を考えると不便であった。
そこで、例えば特開２００１−２１１２４１号公報に記載のように、筐体を閉じた状態でも通話できるようにするため、複数の受話部を備えたタイプ（以下、これを閉通話兼用タイプとよぶ）の折畳式携帯電話機が提案されている。
また、前述の閉通話兼用タイプの折畳式携帯電話機では、着信メロディやブザー音等に供するスピーカと、筐体を閉じた状態のときの受話用として使用するスピーカとを兼用させることにより、スピーカの数を削減できるように構成されている。
ところで、通常のタイプ或いは閉通話兼用のタイプのいずれの携帯電話機であっても、着信メロディやブザー音等に供するスピーカは、携帯電話機から離れた場所で聴音可能なように大音量で鳴音させる回路設計としている。
このため、前述のような閉通話兼用タイプの折畳式携帯電話機では、筐体を閉じた状態のときの受話用として使用する時のスピーカの音量が、例えば大きすぎると送話部のマイクでこれを拾ってしまい、通話相手の受話音声に混信してエコーとなる虞があるが、逆に音量が小さすぎると聞き取り難い。
ところで、普段生活を行う中で、筐体を閉じた状態での通話中にゆっくり筐体を開いて通常の通話に移行したい、という要求が起こることがしばしば予想される。ところが、前述の閉通話兼用タイプの折畳式携帯電話機にあっては、この閉状態での通話から、通常の開状態での通話への移行を積極的に考慮した構成となっていない。
即ち、これに対応するためには、さらに、筐体を閉状態でも押下できる筐体の外部（露出）部分に専用の釦などを設ける必要があるが、このように外部に釦を設けると、前述したように誤操作を起こす虞があり、ユーザー利便性の低下を招いている。また、筐体外部にはこの釦のための設置面積をさらに必要とし、これが大型化の一因となるとともにデザイン上の制約をもたらしている。
この発明は、上記した事情に鑑み、適正な音量で閉状態通話が実現できるとともに、釦の数を可及的に減らし、誤操作及び筐体の大型化を回避することができる折畳式携帯電話機を提供することを目的とする。
＜発明の開示＞
上述した課題を解決するために、この発明の折畳式携帯電話機は、送話用マイクを有する第１の筐体と、受話用レシーバを有する第２の筐体とを互いに開閉自在に連結した折畳式携帯電話機であって、前記第２の筐体の、前記第１、第２の筐体を閉じたときに露出している部分にスピーカが設けられ、前記スピーカの発生音量を前記受話用レシーバの発生音量と同程度になるように調整する音量可変手段と、前記第１、第２の筐体を開いて通話する場合は、前記送話用マイクと前記受話用レシーバで通話する第１の機能に設定し、閉じて通話する場合は、前記音量可変手段によって前記スピーカの発生音量を前記受話用レシーバの発生音量と同程度になるように調整して、前記送話用マイクと前記スピーカで通話する第２の機能に設定するように設定機能の切替を行う切替手段とを備える。
これにより、着信メロディやブザー鳴音時は大音量で動作し、閉じて通話する時は受話用レシーバと同程度の音量で動作するとともに、通話相手にエコーなど生じない効果を有する。
また、この発明の折畳式携帯電話機は、送話用マイクを有する第１の筐体と、受話用レシーバを有する第２の筐体とを互いに開閉自在に連結した折畳式携帯電話機であって、前記第２の筐体の、前記第１、第２の筐体を閉じたときに露出している部分にスピーカが設けられ、前記スピーカの発生音量を前記受話用レシーバの発生音量と同程度になるように調整する音量可変手段と、前記第１、第２の筐体を閉じたとき露出せず、開いた状態で露出する部分に設けられた第１の通話開始用操作手段の機能を有する第１の釦と、前記第１、第２の筐体を閉じたとき露出している部分に設けられた第２の通話開始用操作手段の機能を有する第２の釦と、前記第１の釦を操作して通話を開始する場合は、前記送話用マイクと前記受話用レシーバで通話する第１の機能に設定し、前記第２の釦を操作して通話を開始する場合は、前記音量可変手段によって前記スピーカの発生音量を前記受話用レシーバの発生音量と同程度になるように調整して、前記送話用マイクと前記スピーカで通話する第２の機能に設定するように設定機能の切替を行う切替手段とを備える。
これにより、閉状態で着信時に前記釦を操作するだけで、閉状態通話、つまり閉じたまま通話を可能にすることができる。
また、この発明の折畳式携帯電話機は、前記送話用マイクが、前記第１の筐体の連結部より遠い部分で、かつ、前記第１、第２の筐体を閉じたとき露出している部分に設けられ、前記受話用レシーバが、前記第２の筐体の連結部より遠い部分で、かつ、前記第１、第２の筐体を閉じたとき前記第１の筐体で覆われる部分に設けられているのが望ましい。
また、この発明の折畳式携帯電話機は、前記切替手段が、前記第２の機能に設定された状態で、前記第１、第２の筐体が互いに開放されたとき、前記第１の機能に切替えるように構成したことを特徴とする。
これにより、筐体を閉状態で通話中に開放すると、切替手段によって第１の機能に設定が切替えられ、開いた状態での通常の通話に移行することができる。
また、この発明の折畳式携帯電話機は、前記切替手段が、前記第１の機能に設定された状態で、前記第１、第２の筐体が互いに閉じられたとき、前記第２の機能に切替えるように構成されていることを特徴とする。
これにより、筐体を開状態で通話中に閉じると、切替手段によって第２の機能に設定が切替えられ、閉じた状態での通話に移行することができる。
また、この発明の折畳式携帯電話機は、前記第２の釦が、通話中に操作した場合に当該通話を終了する第１の通話終了用操作手段の機能を有する。
これにより、少ない釦で通話開始および終了ができ、釦の数を減ずる効果を有する。
また、この発明の折畳式携帯電話機は、前記第２の釦は、通話中に予め定めた一定時間操作し続けた場合に当該通話を終了する第２の通話終了用操作手段の機能を有する。
これにより、閉状態で通話中に第２の釦を長押しすることで通話終了することができ、少ない釦で通話開始および終了ができるので、釦の数を減ずる効果を有するとともに、通話中に誤って釦を操作した際の誤終話を防ぐ効果を有する。
また、この発明の折畳式携帯電話機は、前記第２の釦が、前記第１、第２の筐体の少なくとも一方の外表面に形成された凹部内に配置されていることを特徴とする。
これにより、指先等で押下することが可能であるが、筐体表面から釦が突出しないよう、凹部に前記釦を有するので、誤操作を防ぐ作用を有する。
また、この発明の折畳式携帯電話機は、第１、第２の筐体を互いに開閉自在に連結した折畳式携帯電話機であって、前記第１、第２の筐体を閉じたとき露出している部分にスピーカが設けられ、前記スピーカを通話時に受話用レシーバとして使用するように切替える切替手段と、前記スピーカを受話用レシーバとして使用する状態で、前記スピーカの発生音量を呼出時の発生音量より低く調整する調整手段とを備える。
これにより、着信メロディやブザー鳴音時は大音量で動作し、閉じて通話する時は受話用レシーバと同程度の音量で動作するとともに、通話相手にエコーなど生じない効果を有する。
＜発明を実施するための最良の形態＞
以下、本発明の実施の形態について添付図面を参照しながら詳細に説明する。
［第１の実施の形態］
図１は、この発明の第１の実施の形態に係る折畳式携帯電話機を示すものであり、この折畳式携帯電話機は、概略構成として、操作部１１を備えた下側筐体１と、表示部２１を備えた上側筐体２と、これらの筐体を開閉可能に連結するヒンジ部３とを備えている。
下側筐体１には、押下釦群よりなる前述の操作部１１と、送話用マイク１２（図２参照）の導音用孔１２Ａとを上側筐体２と対向する内（上）面側に設けているとともに、側面には閉時通話用押下釦１３を設けている。
一方、上側筐体２には、前述の表示部２１と、受話用レシーバ２２とを下側筐体１と対向する内（下）面に設けているとともに、外面には着信メロディやブザー音等のため及び閉状態通話のための大音量用スピーカ２３を設けている。
次に、この実施形態の携帯電話機における電気的構成について図２を参照しながら説明する。
この実施形態に係る携帯電話機には、前述した、送話用マイク１２、受話用レシーバ２２及び大音量用スピーカ２３の他に、この受話用レシーバ２２と大音量用スピーカ２３を筐体の開閉状態に応じて切替えて動作させる切替手段４Ａと、このスピーカ２３の発生音量を前記レシーバ２２の発生音量と同程度に音量を小さく調整できる音量可変手段４Ｂとを備えている。
このうち、切替手段４Ａは、筐体の開閉状態を検出する開閉検出スイッチ４１と、この開閉検出スイッチ４１に入力が接続された受話音の切替制御や通話に関する制御を行う制御回路４２と、入力が制御回路４２の出力に接続されるとともに出力がレシーバ２２に接続され受話音の送出先の切替えを行う受話音送出先切替器４３と、同じく入力が制御回路４２の出力に接続されるとともに出力が大音量用スピーカ２３に接続され着信音と受話音との切替えを行う着信音・受話音切替器４４とを備えている。
この受話音送出先切替器４３と着信音・受話音切替器４４とは、制御回路４２の制御により、いずれか一方を選択的に動作させるようなっており、後述する状況に応じて、大振幅増幅器４６と小振幅増幅器４８とのいずれかをレシーバ２２又は大音量用スピーカ２３のいずれかと適宜任意に切替えて接続するようになっている。
一方、音量可変手段４Ｂは、入力が制御回路４２の出力に接続され着信メロディおよびブザー音を発生する着信メロディブザー音発生回路４５と、入力が着信メロディブザー音発生回路４５の出力に接続されるとともに出力が着信音・受話音切替器４４に接続された大音量スピーカ用の大振幅増幅器４６と、アンテナ５１及び送受信部５２を介して出力される音声信号を入力するために送受信部５２に接続されているとともに入力が制御回路４２の出力に接続される通話回路部４７と、入力がこの通話回路部４７の出力及び制御回路４２の出力に接続されるとともに出力が受話音送出先切替器４３に接続された受話レシーバ用の小振幅増幅器４８とを備えている。
なお、通話回路部４７は、入力が送話用マイク１２の出力とも接続されており、この送話用マイク１２から取り込んだ通話音は、ここで音声信号に変換された後、送受信部５２のアンテナ５１から通話相手へ送信されるように構成されている。
次に、本実施の形態における動作について、図１及び図２を参照しながら説明する。ただし、ここで、折畳式携帯電話機での待受け時には上下の筐体は図１（Ｂ）の閉状態にあるものとする。
▲１▼開状態通話：
着信時には、通常、筐体を一旦開いて図１（Ａ）の状態にしたうえで、操作部１１内にある図示外の通話開始釦を押下することで制御回路４２が送話マイク１２と受話用レシーバ２２とによる通話（第１の機能）を開始する。また操作部１１内にある図示外の通話終了釦を押下することで制御回路４２が通話を終了する。
▲２▼閉状態通話：
一方、筐体を一旦開く操作が煩わしく急いで通話を開始したい場合には、図１（Ｂ）の閉状態のまま閉時通話用押下釦１３を押下することで、制御回路４２が送話マイク１２と適正音量のスピーカ２３とによる通話（第２の機能）を開始する。
次に、前述の開状態通話及び閉状態通話のときの受話用レシーバ２２及びスピーカ２３などの動作について、図２を参照しながら説明する。
▲１▼着信時：
着信時は、着信メロディおよびブザー音発生のための着信メロディブザー音発生回路４５と大音量スピーカ用大振幅増幅器４６の動作により、大音量の着信メロディやブザー音をスピーカ２３に出力することで着信を知らせる。
▲２▼開状態通話：
また、筐体を図１（Ａ）の開いた状態にして操作部１１内にある通話開始釦を押下することで通話する場合には、開閉検出スイッチ４１からの検出信号が制御回路４２に出力される。
そのため、制御回路４２による制御信号で、受話音送出先切替器４３と着信音・受話音切替器４４との接続状態を切替える。また、このときの制御回路４２からの制御信号で大音量スピーカ用大振幅増幅器４６の動作が停止して着信メロディやブザー音が止まるとともに受話レシーバ用小振幅増幅器４８が動作する。これにより、アンテナ５１及び送受信回路５２を介して通話回路部４７から出力される通話相手からの音声信号が、受話レシーバ用小振幅増幅器４８で増幅されて受話用レシーバ２２へ出力され、音量が抑えられて放音される。
▲３▼閉状態通話：
一方、筐体が図１（Ｂ）の閉状態のまま閉時通話用押下釦９を押下した場合には、開閉検出スイッチ４１から閉鎖状態に対応する検出信号が制御回路４２に出力されるので、制御回路４２による制御信号で、大音量スピーカ用大振幅増幅器４６の動作が停止して着信メロディやブザー音が止まるとともに、着信音・受話音切替器４４と受話音送出先切替器４３との接続状態が切替わる。即ち、小振幅増幅器４８とスピーカ２３とを接続させて、通話回路部４７からの受話音を受話レシーバ用小振幅増幅器４８を通じてスピーカ２３に出力する。
従って、第１の実施の形態によれば、着信メロディやブザー鳴音時は大音量用スピーカ２３が大音量で動作し、筐体を閉じて通話する場合には大音量用スピーカ２３の発生音量を通常の受話用レシーバ２２の発生音量と同程度に音量を小さく抑えた状態に調整した受話音量で動作する。また、これと同時に、通話相手にエコーなど生じないようにすることが可能となる。
さらに、本実施の形態によれば、一旦筐体を開いて通話していたが、この通話中に筐体を閉じた状態での通話に移行することも可能となる。
なお、この第１の実施の形態において、受話レシーバ用小振幅増幅器４８は、低インピーダンスのスピーカ２３を駆動できる構成のものが用いられている。即ち、このスピーカ２３は、インピーダンスが低く、大音量スピーカ用大振幅増幅器４６の駆動能力が高いが、受話用レシーバ２２はインピーダンスが高く、受話レシーバ用小振幅増幅器４８の駆動能力が低くても良い。しかしながら、この実施形態のような構成では、受話レシーバ用小振幅増幅器４８の駆動能力も高くする必要（但し、低ノイズである必要）がある。
また、この第１の実施の形態によれば、上下の筐体が閉状態のまま通話を開始したとする。その場合、通話中に筐体を開くことで、図２の開閉検出スイッチ４１が動作して閉状態から開状態になったことを制御回路４２が検出する。その結果、制御回路４２が作動し、受話音送出先切替器４３を切替え、スピーカ２３への出力から受話用レシーバ２２へ出力するよう制御する。これにより、着信時は急いで通話開始をする為に閉じたまま通話を開始するが、通話中にゆっくり開いて通常の通話に移行することが可能となる。
なお、この第１の実施の形態では、下側筐体１を上側筐体２に比べて長さ方向の寸法をやや長めに形成することにより、この長さの余った領域を利用して送話用マイク１２（図２参照）の導音用孔１２Ａを形成しているが、図３（Ａ）及び（Ｂ）に示すように、双方の長さをほぼ同等にしたものを用い、その下側筐体１端面部分に送話用マイク１２（図２参照）の導音用孔１２Ａを形成してもよい。
［第２の実施の形態］
次に、本発明の第２の実施の形態について、図４を参照しながら説明する。なお、この実施の形態において、第１の実施形態と同一部分には同一符号を付して重複説明を避ける。
図４は、本発明の第２の実施の形態における携帯電話機における電気的構成を示すものであり、この携帯電話機には、送話用マイク１２、受話用レシーバ２２及び大音量用スピーカ２３の他に、この受話用レシーバ２２と大音量用スピーカ２３を筐体の開閉状態に応じて切替えて動作させる切替手段６Ａと、このスピーカ２３の発生音量をレシーバ２２の発生音量と同程度に音量を小さく調整できる音量可変手段６Ｂとを備えている。
切替手段６Ａは、開閉検出スイッチ４１及び制御回路４２の他に、入力がブザー音発生回路４５の出力に接続されるとともに出力が後述する音量可変手段６Ｂの受話音用広利得可変増幅器６２の入力に接続された信号切替器６１を備えている。
一方、音量可変手段６Ｂは、着信メロディブザー音発生回路４５、通話回路部４７及び受話レシーバ用の小振幅増幅器４８の他に、受話音用広利得可変増幅器６２を備えている。
次に、この実施形態の動作について、図４を参照しながら説明する。
▲１▼着信時：
筐体が閉状態にあるときに着信があると、大音量スピーカ２３及び受話音用広利得可変増幅器６２を高利得動作させることにより、大音量の着信メロディやブザー音を大音量スピーカ２３に出力することで着信を知らせる。
▲２▼開状態通話：
一方、筐体を図１（Ａ）の開いた状態にして操作部１１内にある通話開始釦を押下することで通話する場合には、制御回路４２の制御により、着信メロディブザー音発生回路４５の動作を停止して着信メロディやブザー音を止めるとともに受話レシーバ用小振幅増幅器４８を動作させる。これにより、通話回路部４７からの受話音を受話用レシーバ２２に出力する。
従って、第２の実施の形態でも、第１の実施の形態と同様に、着信メロディやブザー鳴音時は大音量用スピーカ２３を大音量で動作させ、筐体を閉じて通話する場合には大音量用スピーカ２３の発生音量を通常の受話用レシーバ２２の発生音量と同程度に音量を抑えた状態に調整した受話音量で動作させることができる。また、これと同時に、通話相手にエコーなど生じないようにすることも可能となる。さらに、本実施の形態でも、一旦筐体を開いて通話していたが、この開状態通話中に筐体を閉じた状態での通話、つまり閉状態通話に移行することも可能となる。
▲３▼閉状態通話：
また、筐体が図１（Ｂ）の閉状態のときに着信メロディブザー音発生回路４５が作動して着信メロディやブザー鳴音した場合、この筐体を図１（Ｂ）の閉状態にしたまま閉時通話用押下釦１３を押下すると、閉状態通話が行われる。即ち、この閉時通話用押下釦１３の押下動作を検出した制御回路４２は、着信メロディブザー音発生回路４５の動作を停止して着信メロディやブザー音を止めるとともに、信号切替器６１を動作させ、かつ、広利得可変増幅器６２を低利得動作させる。従って、通話相手からの音声信号が通話回路部４７に入力すると、信号切替器６１を通じて通話相手からの受話音をスピーカ２３に出力する。
従って、本実施の形態によれば、着信メロディやブザー鳴音時には大音量スピーカ２３が大音量で鳴動し、閉じて通話する場合には大音量スピーカ２３の発生音量を通常の受話用レシーバ２２の発生音量と同程度に音量を抑えた状態に調整した受話音量で放音させる。その結果、通話相手にエコーなど生じないといった効果も得られる。なお、本実施形態では、広利得可変増幅器６２は信号レベルの低い受話音に比べ十分小さなノイズレベルで動作する広いダイナミックレンジ能力のもので構成されている。
▲４▼閉状態通話から開状態通話への通話移行：
また、第２の実施の形態でも、通話中に上下の筐体を閉状態から開くと、開閉検出スイッチ４１が動作して筐体が閉状態から開状態になったことを制御回路４２が検出する。これにより、制御回路４２が動作し、広利得可変増幅器６２の動作を停止するとともに受話レシーバ用小振幅増幅器４８を動作させ、通話回路部４７からの受話音を受話用レシーバ２２に出力するよう制御する。
従って、この実施の形態でも、着信時は急いで通話開始をする為に閉じたまま通話を開始することができるが、通話中にゆっくり開いて通常の通話に移行することが可能となる。
また、この発明の折畳式携帯電話機を閉状態で使用する場合、この第２の実施の形態のように、上側筐体２の外面に設けられた大音量用スピーカ２３が、導音用孔１２Ａから離れたヒンジ部３近傍に設けられていることにより、使用者が大音量用スピーカ２３を耳にあてると、導音用孔１２Ａがより口元近くにくるので、閉状態通話での使い勝手がよくなる。
［第３の実施の形態］
次に、本発明の第３の実施の形態について、図５を参照しながら説明する。なお、この実施の形態において、第１の実施形態と同一部分には同一符号を付して重複説明を避ける。
第１の実施の形態又は第２の実施の形態では、閉時通話用押下釦１３は、図１（Ｂ）のように筐体が閉状態のまま押下されると通話を開始する通話開始用操作手段の機能を有している。これらの実施の形態の携帯電話機では、例えば通話中に、この閉時通話用押下釦１３を押下しても、特別の動作を行うことはない。
一方、この第３の実施の形態における携帯電話機では、図５に示すように、この閉時通話用押下釦１４に複数の機能を与えるように構成されている。具体的には、閉時通話用押下釦１４は、通話時に押下されると通話を終了させる通話終了用操作手段の機能をさらに有している。これにより、閉時通話用押下釦１４を押下することによって、着信時は通話開始用操作手段として機能し、通話時は通話終了用操作手段として機能させることができる。
従って、閉状態通話中に閉時通話用押下釦１４を押下することで通話終了することが可能となる。その結果、閉時通話用押下釦１４一つで通話開始と通話終了操作ができる。
なお、着信時でも通話時でもない時は通常待受け時であるが、この時は閉時通話用押下釦１４にメモキーやシャッターキー等のような別の機能を付加することも可能であり、一つの閉時通話用押下釦１４で３つ以上の機能を付加することが可能となる。
［第４の実施の形態］
次に、本発明の第４の実施の形態について、図６を参照しながら説明する。なお、この実施の形態において、第１及び第３の実施形態と同一部分には同一符号を付して重複説明を避ける。
この第４の実施の形態が、第３の実施形態と異なる点は、閉時通話開始釦１５を押下式ではなくスライドスイッチで構成したことである。
例えば、第３の実施の形態では、筐体が図１（Ｂ）の閉状態のまま通話を開始したとする。この時、閉時通話用押下釦１４を押下することで通話終了することが可能であるが、この閉時通話用押下釦１４を誤って極く僅かな短時間だけ触れた場合でも、この閉時通話用押下釦１４を押下したのであれば、この閉時通話用押下釦１４が動作して終話させてしまう。
一方、この第４の実施形態では、閉時通話開始釦１５を一定方向にある程度の操作力で押し出してスライドさせない限り通話状態が切れることがなく、従って誤って触れる程度では誤動作することがない。
なお、この実施形態では、閉時通話用押下釦１５をスライドスイッチで構成したが、この他に、例えば第３の実施形態と同様に押下することで動作するスイッチを用いる場合であって、極く短時間だけ押下したのではこの釦操作が有効とならず、特定時間（最低ｎ秒以上など）の連続押下（長押し）操作を行うことで押下動作を有効とするように、予め判定期間を設けた構成であってもよい。
従って、このような構成の釦によれば、誤って短期間押下した場合の誤終話を避けることができる。またこの機能を通話開始時にも適用すれば、着信時に人間の操作以外により、例えば鞄・ハンドバッグの内部等で鞄内容物により閉時通話用押下釦１５を押下してしまった場合にも、誤操作を防ぐことが可能となる。
［第５の実施の形態］
次に、本発明に係る第５の実施の形態について、図５を参照しながら（同時に図１も参考にして）説明する。
図５に示すこの第５の実施の形態が、第１の実施の形態と異なる点は、閉時通話用押下釦１４が、図１に示す第１の実施の形態における閉時通話用押下釦１３とは異なり、下側筐体１の側面の表面から外部に突出せず、下側筐体１の側面の表面に設けた凹部１６内に配置してあり、側面よりも外方に突出していない点である。
従って、この第５の実施の形態によれば、閉時通話用押下釦１３を指先等で押下することは可能であるが、誤って触れたことによる誤った押下動作、或いは外部の物体による誤った押下動作による、誤操作を防ぐことが可能となる。
本発明を詳細にまた特定の実施態様を参照して説明したが、本発明の精神と範囲を逸脱することなく様々な変更や修正を加えることができることは当業者にとって明らかである。例えば、表示部が下側筐体に有る場合や操作部が上側筐体に有る場合、両者が同側筐体にある場合でも、基本的動作及び効果は同様である。
本出願は、２００２年６月７日出願の日本特許出願Ｎｏ．２００２−１６７３６０に基づくものであり、その内容はここに参照として取り込まれる。
＜産業上の利用可能性＞
以上説明したように、この発明は、送話用マイクを有する第１の筐体と、受話用レシーバを有する第２の筐体とを互いに開閉自在に連結した折畳式携帯電話機であって、前記第２の筐体の、前記第１、第２の筐体を閉じたときに露出している部分にスピーカが設けられ、前記スピーカの発生音量を前記受話用レシーバの発生音量と同程度になるように調整する音量可変手段と、前記第１、第２の筐体を開いて通話する場合は、前記送話用マイクと前記受話用レシーバで通話する第１の機能に設定し、閉じて通話する場合は、前記音量可変手段によって前記スピーカの発生音量を前記受話用レシーバの発生音量と同程度になるように調整して、前記送話用マイクと前記スピーカで通話する第２の機能に設定するように設定機能の切替を行う切替手段とを備える。
従って、この発明によれば、折り畳み式携帯電話機において、受話音量と着信メロディやブザー音量を適切に設定できるので、筐体を閉じた状態で適正な音量で通話することできるようになり、ユーザーの利便性の向上を図ることが可能となる。
さらに、この発明によれば、送話用マイクを有する第１の筐体と、受話用レシーバを有する第２の筐体とを互いに開閉自在に連結した折畳式携帯電話機であって、前記第２の筐体の、前記第１、第２の筐体を閉じたときに露出している部分にスピーカが設けられ、前記スピーカの発生音量を前記受話用レシーバの発生音量と同程度になるように調整する音量可変手段と、前記第１、第２の筐体を閉じたとき露出せず、開いた状態で露出する部分に設けられた第１の通話開始用操作手段の機能を有する第１の釦と、前記第１、第２の筐体を閉じたとき露出している部分に設けられた第２の通話開始用操作手段の機能を有する第２の釦と、前記第１の釦を操作して通話を開始する場合は、前記送話用マイクと前記受話用レシーバで通話する第１の機能に設定し、前記第２の釦を操作して通話を開始する場合は、前記音量可変手段によって前記スピーカの発生音量を前記受話用レシーバの発生音量と同程度になるように調整して、前記送話用マイクと前記スピーカで通話する第２の機能に設定するように設定機能の切替を行う切替手段とを備える。
従って、この発明によれば、筐体を閉じたとき露出せず、開いた状態で露出する部分に閉状態通話時のための専用の釦を設置することが不要であって、筐体を閉じたとき露出している部分に設置した第２の釦により、複数の機能、例えば閉状態通話の開始やスピーカの発生音量の低下調整等が設定可能であり、釦の数をできるだけ減らして省スペースを図ることができるので、筐体の大型化を回避することができ、小型化の傾向が強い携帯電話機などへの適用に便宜である。
【図面の簡単な説明】
図１は、（Ａ）はこの発明の第１の実施の形態に係る折畳式携帯電話の開いた状態を示す斜視図、（Ｂ）はこの折畳式携帯電話の閉じた状態を示す斜視図であり、
図２は、この発明の第１の実施の形態に係る折畳式携帯電話の電気的構成を示したブロック図であり、
図３は、この発明の第１の実施の形態に係る折畳式携帯電話の変形例を示すものであって、（Ａ）はその折畳式携帯電話を開いた状態を示す斜視図、（Ｂ）はその折畳式携帯電話を閉じた状態を示す斜視図であり、
図４は、この発明の第２の実施の形態に係る折畳式携帯電話の電気的構成を示したブロック図であり、
図５は、この発明の第３の実施の形態に係る折畳式携帯電話を示すものであって、（Ａ）はその平面図、（Ｂ）はその側面図、（Ｃ）はその正面図であり、
図６は、この発明の第４の実施の形態に係る折畳式携帯電話を示す側面図である。
なお、図中の符号、１は下側筐体（第１の筐体）、１１は操作部（通話開始釦；第１の釦）、１２は送話用マイク、１２Ａは導音用孔、１３は閉時通話用押下釦（押下式；第２の釦）、１４は閉時通話用押下釦（通話終了手段；第２の釦）、１５は閉時通話開始釦（スライドスイッチ；第２の釦）、１６は凹部、２は上側筐体（第２の筐体）、２１は表示部、２２は受話用レシーバ、２３は大音量用スピーカ（スピーカ）、３はヒンジ部、４Ａは切替手段、４Ｂは音量可変手段、４１は開閉検出スイッチ（筐体の開閉状態検出手段）、４２は制御回路（切替手段）、４３は受話音送出先切替器、４４は着信音・受話音切替器、４５は着信メロディブザー音発生回路、４６は（大音量用スピーカの）大振幅増幅器、４７は通話回路部、４８は（受話用レシーバの）小振幅増幅器、５１はアンテナ、５２は送受信部、６Ａは切替手段、６Ｂは音量可変手段、６１は信号切替器、６２は受話音用広利得可変増幅器である。
【図１】
2003105450.tif 000003
【図２】
2003105450.tif 000004
【図３】
2003105450.tif 000005
【図４】
2003105450.tif 000006
【図５】
2003105450.tif 000007
【図６】
2003105450.tif 000008
【国際調査報告】
2003105450.tif 000009
2003105450.tif 000010
2003105450.tif 000011
2003105450.tif 000012
2003105450.tif 000013
2003105450.tif 000014